(57)【要約】      （修正有）【課題】車載機器を他のメーカの車載機器に交換する場合に指令電圧値の設定変更を必要とせず、ユーザは交換された車載機器をステアリングホイールに設けられたスイッチにより容易に操作可能にすること。【解決手段】スイッチ入力部４と、指令電圧記憶部５と、選択メーカ記憶部６と、指令電圧出力部７と、スイッチ入力部４に入力されたステアリングスイッチ２の操作信号を読み取り、選択メーカ記憶部５から選択されたメーカに関するデータを読み出し、指令電圧記憶部５からスイッチ２の操作信号に対応するとともに選択されたメーカに対応する指令電圧値に関するデータを読み出して、この指令電圧値に関するデータに基づいて指令電圧出力部７により指令電圧を出力するように制御する制御部１とを備えることを特徴とする。【選択図】図１
2014156133.tif 000002
【特許請求の範囲】
【請求項１】
ステアリングホイールに設けられた複数のスイッチの操作信号が入力されるスイッチ入力部と、前記複数のスイッチの操作信号に対応するとともに車載機器を製造する複数のメーカに対応して車載機器を操作可能とする指令電圧値に関するデータを記憶する指令電圧記憶部と、前記複数のメーカの中で選択されたメーカに関するデータを記憶する選択メーカ記憶部と、前記車載機器に指令電圧を出力する指令電圧出力部と、前記スイッチ入力部に入力されたスイッチの操作信号を読み取り、前記選択メーカ記憶部から選択されたメーカに関するデータを読み出し、前記指令電圧記憶部からスイッチの操作信号に対応するとともに選択されたメーカに対応する指令電圧値に関するデータを読み出して、この指令電圧値に関するデータに基づいて前記指令電圧出力部により指令電圧を出力するように制御する制御部とを備えることを特徴とするステアリングスイッチ制御装置。
【発明の詳細な説明】
【技術分野】
【０００１】
この発明はステアリングスイッチ制御装置に係り、特に、ステアリングホイールに設けられた複数のスイッチの操作信号を入力して、オーディオ等の車載機器を操作する指令電圧を出力するステアリングスイッチ制御装置に関する。
【背景技術】
【０００２】
ステアリングスイッチ制御装置は、車両のステアリングホイールに設けられた複数のスイッチ（ステアリングスイッチ）の操作信号として予め決められた指令電圧値を発生する指令電圧出力部を備え、発生した指令電圧をオーディオ機器等の車載機器に出力して車載機器を操作する。従来のステアリングスイッチ制御装置の指令電圧出力部は、図６に示すように、スイッチＳＷａ１〜ＳＷａ３・ＳＷｂ１〜ＳＷｂ３と車載機器を製造するメーカ毎に決められた値を有する抵抗５２ａ〜５２ｄ・５３ａ〜５３ｄとの組み合わせで、各メーカごとに固有の指令電圧値を発生するようになっている。
この理由により、車載機器を他のメーカの車載機器に交換した場合には、ステアリングホイールに設けられたスイッチの操作信号である指令電圧値が交換した車載機器の指令電圧値と合わなくなり、交換した車載機器を操作することができなくなる問題がある。このため、車載機器を交換する場合は、指令電圧出力部の抵抗の組み合わせを変更しなければならない。
【０００３】
これに対して、特開２００８−２６５６３３号公報は、車載機器のオーディオ機器側でステアリングホイールに設けられたスイッチの操作信号値を記憶し、所定の機能と対応付けるものが知られている。
【先行技術文献】
【特許文献】
【０００４】
【特許文献１】特開２００８−２６５６３３号公報
【発明の開示】
【発明が解決しようとする課題】
【０００５】
ところが、前記特開２００８−２６５６３３号公報に開示の技術は、スイッチの１個１個について、車載機器の機能との対応関係をすべて記憶するための操作を行わなければならないため、車載機器を他のメーカの車載機器に交換した場合の指令電圧値の設定に手間がかかった。
【０００６】
この発明は、車載機器を他のメーカの車載機器に交換する場合に指令電圧値の設定変更を必要とせず、ユーザは交換された車載機器をステアリングホイールに設けられたスイッチにより容易に操作可能にすることを目的とする。
【課題を解決するための手段】
【０００７】
この発明は、ステアリングホイールに設けられた複数のスイッチの操作信号が入力されるスイッチ入力部と、前記複数のスイッチの操作信号に対応するとともに車載機器を製造する複数のメーカに対応して車載機器を操作可能とする指令電圧値に関するデータを記憶する指令電圧記憶部と、前記複数のメーカの中で選択されたメーカに関するデータを記憶する選択メーカ記憶部と、前記車載機器に指令電圧を出力する指令電圧出力部と、前記スイッチ入力部に入力されたスイッチの操作信号を読み取り、前記選択メーカ記憶部から選択されたメーカに関するデータを読み出し、前記指令電圧記憶部からスイッチの操作信号に対応するとともに選択されたメーカに対応する指令電圧値に関するデータを読み出して、この指令電圧値に関するデータに基づいて前記指令電圧出力部により指令電圧を出力するように制御する制御部とを備えることを特徴とする。
【発明の効果】
【０００８】
この発明は、車両に取り付けられていたオーディオ等の車載機器を交換する際に、取り付けられていた車載機器のメーカとは異なるメーカの車載機器に交換する場合であっても、スイッチの操作信号に対応するとともに交換された車載機器のメーカに対応する指令電圧を出力するので、ユーザは、交換された車載機器をステアリングホイールに設けらたれスイッチにより操作することができる。
また、この発明は、車両に取り付けられていたオーディオ等の車載機器を交換する際に、取り付けられていた車載機器のメーカとは異なる新しいメーカの車載機器に交換する場合であっても、複数のメーカの中で選択されたメーカに関するデータを変更するだけで対応可能である。
よって、ユーザは、ステアリングホイールに設けられたスイッチによる交換された車載機器の操作を容易に可能にすることができる。
【図面の簡単な説明】
【０００９】
【図１】図１はステアリングスイッチ制御装置のシステム構成図である。（実施例）
【図２】図２はスイッチ機能の説明図である。（実施例）
【図３】図３はメーカ切り替え時の選択メーカ遷移の説明図である。（実施例）
【図４】図４はメーカ切り替え時の制御フローチャートである。（実施例）
【図５】図５は通常時の制御フローチャートである。（実施例）
【図６】図６は従来の指令電圧出力部の回路図である。（従来例）
【発明を実施するための形態】
【００１０】
以下、図面に基づいて、この発明の実施例を説明する。
【実施例】
【００１１】
図１〜図５は、この発明の実施例を示すものである。図１に示すように、ステアリングスイッチ制御装置１は、車両のステアリングホイールに設けられた複数のスイッチ（ステアリングスイッチ）２の操作信号を入力し、車両に取り付けられていたオーディオ機器等の車載機器３に指令電圧を出力して操作する。
複数のスイッチ２は、図２示すように、スイッチ２Ａ〜２Ｅからなる。スイッチ２Ａ〜２Ｅは、例えば、車載機器３がオーディオ機器の場合、それぞれ以下のように機能する。スイッチ２Ａは、音量を大きくする（ＶＯＬ＋）スイッチとして機能する。スイッチ２Ｂは、音量を小さくする（ＶＯＬ−）スイッチとして機能する。スイッチ２Ｃは、音楽を再生する（ＰＬＡＹ）スイッチとして機能する。スイッチ２Ｄは、音楽再生を停止する（ＳＴＯＰ）スイッチとして機能する。スイッチ２Ｅは、制御のモード（状態）を後述するメーカ切り替えのモードに切り換える（ＭＯＤＥ）スイッチとして機能する。
前記スイッチ２Ｅは、操作により制御のモードを通常（音楽再生）とメーカ切り替えとに切り替える。通常のモードにおいて、スイッチ２Ａ〜２Ｅは、それぞれ前述のように機能する。メーカ切り替えのモードにおいて、スイッチ２Ｃ〜２Ｅは、それぞれ以下のように機能する。スイッチ２Ｃは、図３に示すように、現在の選択されているメーカＢのデータから、矢印＋方向の並びで次に存在するメーカＣのデータを選択して切り替える（メーカ切替＋）スイッチとして機能する。スイッチ２Ｄは、図３に示すように、現在の選択されているメーカＢのデータから、矢印−方向の並びで前に存在するメーカＡのデータを選択して切り替える（メーカ切替−）スイッチとして機能する。スイッチ２Ｅは、制御のモード（状態）を通常のモードに切り換える（ＭＯＤＥ）スイッチとして機能する。
【００１２】
前記ステアリングスイッチ制御装置１は、図１に示すように、スイッチ入力部４と、指令電圧記憶部５と、選択メーカ記憶部６と、指令電圧出力部７と、制御部８とを備えている。
前記スイッチ入力部４は、ステアリングホイールに設けられた前記複数のスイッチ２Ａ〜２Ｅの操作信号が入力される。
前記指令電圧記憶部５は、前記複数のスイッチ２Ａ〜２Ｅの操作信号に対応するとともに、車載機器３を製造する複数のメーカに対応して車載機器３を操作可能とする指令電圧値に関するデータを記憶する。例えば、指令電圧記憶部５は、メーカＡの指令電圧値に関するデータとして、スイッチ２Ａ（ＶＯＬ＋）の操作信号として０．５Ｖ、スイッチ２Ｂ（ＶＯＬ−）の操作信号として１．０Ｖ、スイッチ２Ｃ（ＰＬＡＹ）の操作信号として１．５Ｖ、スイッチ２Ｄ（ＳＴＯＰ）の操作信号として２．０Ｖ、スイッチ２Ｅ（ＭＯＤＥ）の操作信号として２．５Ｖ、をそれぞれ記憶する。他のメーカＢ、メーカＣ……についても、メーカごとに固有の指令電圧値に関するデータをそれぞれ記憶する。
前記選択メーカ記憶部６は、前記複数のメーカの中で選択されたメーカに関するデータを記憶する。前記指令電圧出力部７は、前記車載機器３に指令電圧を出力する。
前記制御部８は、前記スイッチ入力部４に入力されたスイッチ２Ａ〜２Ｅの操作信号を読み取り、前記選択メーカ記憶部６から選択されたメーカに関するデータを読み出し、前記指令電圧記憶部５からスイッチ２Ａ〜２Ｅの操作信号に対応するとともに選択されたメーカに対応する指令電圧値に関するデータを読み出す。そして、制御部８は、この読み出した指令電圧値に関するデータに基づいて、前記指令電圧出力部７により指令電圧を車載機器３に出力するように制御する。この制御部８には、スイッチ２Ａ〜２Ｅ操作時に鳴動するブザー９を接続している。
【００１３】
次に、ステアリングスイッチ制御装置１の作用を説明する。
ステアリングスイッチ制御装置１は、図４に示すように、制御部８によって、制御のプログラムが開始されると（１００）、スイッチ２ＥがＯＮされて通常時からメーカ切り替え時へのモード切替の操作信号がスイッチ入力部４に入力し（１０１）、所定時間が経過したかを判断する（１０２）。
この判断（１０２）がＮＯの場合は、プログラムを終了する（１１２）。この判断（１０２）がＹＥＳの場合は、制御のモードをメーカ切り替え時のモードに移行させてモード移行を通知するためにブザー９を鳴動させ（１０３）、スイッチ２Ｃ（メーカ切替＋）がＯＮされてメーカ切り替えの操作信号がスイッチ入力部４に入力したかを判断する（１０４）。
この判断（１０４）がＹＥＳの場合は、図３の矢印＋方向の並びで次に存在するメーカのデータを選択し（１０５）、選択されたメーカの固有の回数だけブザー９を鳴動させ（１０６）、スイッチ２ＥがＯＮされてメーカ切り替え時のモードから通常時のモードへのモード切替の操作信号がスイッチ入力部４に入力したかを判断する（１０７）。
前記ステップ（１０５）においては、スイッチ２Ｃの操作信号の入力によって、例えば図３に示すように、選択メーカ記憶部６に記憶された複数のメーカのうちの、現在の選択されているメーカＢのデータから、矢印＋方向の並びで次に存在するメーカＣのデータを選択して切り替える。
一方、前記判断（１０４）がＮＯの場合は、スイッチ２Ｄ（メーカ切替−）がＯＮされてメーカ切り替えの操作信号がスイッチ入力部４に入力したかを判断する（１０８）。
この判断（１０８）がＹＥＳの場合は、図３の矢印−方向の並びで次に存在するメーカのデータを選択し（１０９）、選択されたメーカの固有の回数だけブザー９を鳴動させ（１０６）、スイッチ２ＥがＯＮされてメーカ切り替え時から通常時へのモード切替の操作信号がスイッチ入力部４に入力したかを判断する（１０７）。
また、前記判断（１０８）がＮＯの場合は、スイッチ２ＥがＯＮされてメーカ切り替え時から通常時へのモード切替の操作信号がスイッチ入力部４に入力したかを判断する（１０７）。
前記ステップ（１０９）においては、スイッチ２Ｄの操作信号の入力によって、例えば図３に示すように、現在の選択されているメーカＢのデータから、矢印−方向の並びで前に存在するメーカＡのデータを選択して切り替える。
前記判断（１０７）がＮＯの場合は、判断（１０４）に戻り、メーカ切り替え時のモードを継続する。前記判断（１０７）がＹＥＳの場合は、メーカ切り替え時のモードを終了する処理をしてメーカ切替状態を保存し（１１０）、通常時のモードへのモード切り替えが終了したことを通知するためにブザー９を鳴動させ（１１１）、プログラムを終了する（１１２）。
【００１４】
前記ステアリングスイッチ制御装置１は、図５に示すように、車載機器３の通常（音楽再生）時のモードにおいて、制御のプログラムが開始されると（２００）、スイッチ入力部４に入力されたスイッチ２Ａ〜２Ｅの操作信号を読み取り（２０１）、スイッチ操作が有るかを判断する（２０２）。
この判断（２０２）がＮＯの場合は、プログラムを終了する（２０６）。この判断（２０２）がＹＥＳの場合は、選択メーカ記憶部６から選択されたメーカに関するデータを読み出し（２０３）、指令電圧記憶部５からスイッチ２Ａ〜２Ｅの操作信号に対応するとともに選択されたメーカに対応する指令電圧値に関するデータを読み出し（２０４）、指令電圧出力部７により指令電圧を車載機器３に出力し（２０５）、プログラムを終了する（２０６）。
車載機器３は、入力する指令電圧に応じた機能を操作される（例えば、音量調整機能を操作される）。
【００１５】
このように、ステアリングスイッチ制御装置１は、車両に取り付けられていたオーディオ機器等の車載機器３を交換する際に、取り付けられていた車載機器３のメーカとは異なるメーカの車載機器３に交換する場合であっても、スイッチ２の操作信号に対応するとともに交換された車載機器３のメーカに対応する指令電圧を出力するので、ユーザは、交換された車載機器３をステアリングホイールに設けらたれスイッチ２により操作することができる。
また、このステアリングスイッチ制御装置１は、車両に取り付けられていたオーディオ機器等の車載機器３を交換する際に、取り付けられていた車載機器３のメーカとは異なる新しいメーカの車載機器３に交換する場合であっても、複数のメーカの中で選択されたメーカに関するデータを変更するだけで対応可能である。
よって、ユーザは、ステアリングホイールに設けらたれスイッチ２による交換された車載機器３の操作を容易に可能にすることができる。
【産業上の利用可能性】
【００１６】
この発明は、車載機器を他のメーカの車載機器に交換する場合に指令電圧値の設定変更を必要とせず、ユーザは交換された車載機器をステアリングホイールに設けられたスイッチにより容易に操作可能にすることができるものであり、四輪車にかぎらず二輪車にも使用することができる。
【符号の説明】
【００１７】
１  ステアリングスイッチ制御装置
２  スイッチ（ステアリングスイッチ）
３  車載機器
４  スイッチ入力部
５  指令電圧記憶部
６  選択メーカ記憶部
７  指令電圧出力部
８  制御部
９  ブザー
【図１】
2014156133.tif 000003
【図２】
2014156133.tif 000004
【図３】
2014156133.tif 000005
【図４】
2014156133.tif 000006
【図５】
2014156133.tif 000007
【図６】
2014156133.tif 000008